(57)【特許請求の範囲】
【請求項１】
使用状態においてウエスト開口部及び左右のレッグ開口部が形成され、前記ウエスト開口縁を含むウエスト部と、該ウエスト部の下端から前記レッグ開口始端に至る腰下部とからなる胴周り部において、周方向に沿い、かつ縦方向に間隔をもって配置された多数の伸縮部材を有し、かつ縦方向に沿って前記腰下部まで延在する半剛性の吸収コアを有する使い捨て紙おむつであって、
前記伸縮部材は、前記胴回り部の６０％以上の長さ範囲にわたって前記間隔を７．０ｍｍ以下とされた状態で配置され、
前記腰下部の前記伸縮部材は、前記腰下部の中央部を除く左右脇部に配置され、
前記腰下部に配置された前記伸縮部材の伸張応力及び断面外径は、前記ウエスト部に配置された前記伸縮部材の伸張応力及び断面外径よりも小さく、かつ太さが６２０ｄｔｅｘ以下で、伸長率が１５０〜３５０％ある、
ことを特徴とする使い捨て紙おむつ。
【請求項２】
前記腰下部に配置された前記伸縮部材の配置間隔が、前記ウエスト部に配置された前記伸縮部材の配置間隔に対して同じかあるいは短い請求項１記載の使い捨て紙おむつ。
【請求項３】
前記レッグ開口部を形成する長さ範囲である股部に股部伸縮部材が配置され、前記股部伸縮部材は、前記股部の中央部を除く左右脇部に周方向に配置され、
前記股部伸縮部材の伸張応力及び断面外径は、前記ウエスト部の前記伸縮部材の伸張応力及び断面外径よりも小さく、かつ太さが６２０ｄｔｅｘ以下である、請求項１または２記載の使い捨て紙おむつ。
【請求項４】
製品の外面を構成し、前記伸縮部材が配置された外形シートと、前記外形シートの内面側に固定され、吸収コアを有する吸収主体と、を備えており、前記股部の少なくとも前後方向中間部において、前記吸収主体の幅より前記外形シートの幅が狭い、請求項１〜３のいずれか１項に記載の使い捨て紙おむつ。
【請求項５】
少なくとも前記腰下部に配置された前記伸縮部材は、周方向の糸と縦方向の糸とからなる網目状伸縮部材である、請求項１〜４のいずれか１項に記載の使い捨て紙おむつ。
【請求項６】
前記伸縮部材は紙おむつの外面を構成するシートに対して取り付けられており、前記外面を構成するシートと前記伸縮部材の色とが同色である、請求項１〜５のいずれか１項に記載の使い捨て紙おむつ。
【請求項７】
前記腰下部に配置された伸縮部材の伸長率は１５０〜３５０％であり、伸張応力は、１５０％伸張時において４〜１７ｇの範囲である請求項１〜６のいずれか１項に記載の使い捨ておむつ。
【請求項８】
ウエスト開口縁からレッグ開口始端に至る長さ範囲の胴周り部に配置された伸縮部材は、前記ウエスト開口縁から縦方向に３０ｍｍ以内の位置から、レッグ開口始端からウエスト開口縁側の１０ｍｍ以内の位置に至る長さ範囲にわたって取り付けられている請求項１〜７のいずれか１項に記載の使い捨て紙おむつ。
【発明の詳細な説明】
【０００１】
【発明の属する技術分野】
本発明は、使い捨て紙おむつ、特に使用状態においてウエスト開口部及び左右のレッグ開口部が形成され、少なくとも前記ウエスト開口縁から前記レッグ開口始端に至る長さ範囲の胴周り部において周方向に沿い、かつ縦方向に間隔を有する多数の伸縮部材を有する形態などの使い捨て紙おむつに関する。
【０００２】
【従来の技術】
近年、パンツ型使い捨て紙おむつが汎用されている。この場合における伸縮部材は、特に胴周りについては通常は糸ゴムが使用され、この糸ゴムは、胴周り部（ウエスト開口縁からレッグ開口始端に至る長さ範囲の領域）のウエスト開口縁側に偏在させた領域の全周に配置し、配置間隔は１０ｍｍ以上である。また、通常は、ウエスト開口部の配置間隔を小さく、腹部の過度の圧迫を防止するために腰下部（ウエスト開口部より股下側の部分）の配置間隔を大きくしてある。
【０００３】
他方、製品を装着したときのずれ落ちを防止するために、各糸ゴムの太さを太くし、収縮力を大きくしてある。
【０００４】
【発明が解決しようとする課題】
しかし従来のものの最大の欠点は、体裁の悪い皺が発生することである。すなわち非装着段階において、図１に示すように、糸ゴムＧの収縮に伴って発生する皺は、隣接する糸ゴムＧの一方から他方に亘る形態で発生し、この凹凸の皺が周方向に繰り返し状態で生成する。さらに隣接する糸ゴムＧ相互間の皺と、一つ隣の隣接する糸ゴムＧ相互間の皺とは、連続せず独立的な傾向をもって生成する。
【０００５】
これらの皺は、糸ゴムＧ相互の配置間隔が大きいほど、その離間距離に応じた長い稜または谷を持ち、かつ周方向の凹凸のピッチが大きい。したがって、製品の外面において全体的に見れば大きい皺がランダムに生成するために、製品の外面が「モコモコ」したものとなり、パンツ衣類とはまったく遠く離れた感覚を与えるものである。
【０００６】
さらに、各糸ゴムＧの太さが太く、収縮力が大きいので、たとえば一つの山皺を例に採ると、その山の糸ゴムＧ側の谷が深くなり、糸ゴムＧの存在が明瞭となる。また、山または谷が大きくかつ収縮力が強く作用するので、山部または谷部に複雑な小皺がランダムに生成する。
【０００７】
他方、太い糸ゴムＧの存在が明瞭であるために、消費者はその太い糸ゴムＧによって装着者の肌を強く締め付けるのではないかとのおそれを抱き、消費意欲を減退させる。実際に、吸収コアが存在しない脇部においては、太い糸ゴムＧの収縮力が強く作用し、その部分が肌にゴム跡となって残ることもあることが知見されている。また、主に各糸ゴムが肌に当たる部分における製品の内面と肌との摩擦により製品のずれ落ちを防止しているが、単位面積当たりの糸ゴム本数は少ないので、よほど大きい収縮力でないと製品のずれ落ちのおそれがある。
【０００８】
したがって、本発明の主たる課題は、皺が目立たないで、すっきり感を与える、すなわち製品の外面が「モコモコ」せず、見えるとしても木目細かい皺であり、全体的には平坦面状の外面を呈し、見栄えに優れた使い捨て紙おむつを提供することにある。他の課題は、面として肌に対して押圧されるようにすることにより、局部的な過度の肌への圧迫がないことによりゴム跡の生成がなく、製品の内面と肌との摩擦が全体に及び、ぴったり接触することによりフィット性が良好であり、製品のずれ落ちを防止できるようにすることにある。
【０００９】
【課題を解決するための手段】
上記課題を解決した本発明は次記のとおりである。
＜請求項１記載の発明＞
使用状態においてウエスト開口部及び左右のレッグ開口部が形成され、前記ウエスト開口縁を含むウエスト部と、該ウエスト部の下端から前記レッグ開口始端に至る腰下部とからなる胴周り部において、周方向に沿い、かつ縦方向に間隔をもって配置された多数の伸縮部材を有し、かつ縦方向に沿って前記腰下部まで延在する半剛性の吸収コアを有する使い捨て紙おむつであって、
前記伸縮部材は、前記胴回り部の６０％以上の長さ範囲にわたって前記間隔を７．０ｍｍ以下とされた状態で配置され、
前記腰下部の前記伸縮部材は、前記腰下部の中央部を除く左右脇部に配置され、
前記腰下部に配置された前記伸縮部材の伸張応力及び断面外径は、前記ウエスト部に配置された前記伸縮部材の伸張応力及び断面外径よりも小さく、かつ太さが６２０ｄｔｅｘ以下で、伸長率が１５０〜３５０％ある、
ことを特徴とする使い捨て紙おむつ。
【００１０】
（作用効果）
請求項１記載の発明は、伸縮部材が、ウエスト開口縁からレッグ開口始端に至る長さ範囲の胴周部の６０％以上の長さ範囲にわたって間隔を７．０ｍｍ以下とされた状態で配置され、腰下部に配置された伸縮部材の伸張応力及び断面外径が、ウエスト部に配置された伸縮部材の伸張応力及び断面外径よりも小さく、かつ太さが６２０ｄｔｅｘ以下で、伸長率が１５０〜３５０％ある。
したがって、図２に模式的に示すように、生成する皺は周方向に幅狭であり、縦方向（周方向に直交する方向）に長さが短く、皺がほぼ縦方向に連続する形態で生成する。そして、各皺の凹または凸はごく小さい。
その結果、皺が目立たず、見えるとしても木目細かい皺であり、全体的には平坦面状の外面を呈し、すっきり感、すなわち製品の外面が「モコモコ」せず、見栄えに優れた使い捨て紙おむつとなる。しかも、面として肌に対して押圧されるようにすることにより、局部的な過度の肌への圧迫がないことによりゴム跡の生成がなく、製品の内面と肌との摩擦が全体に及び、ぴったり接触することによりフィット性が良好であり、製品のずれ落ちを防止できる。
さらに、請求項１記載の発明は、縦方向に沿って腰下部まで延在する半剛性の吸収コアを有し、腰下部の伸縮部材は、腰下部の中央部を除く左右脇部に配置されている。
吸収コアは可撓性のシートに比較して半剛性を示すので、伸縮部材による収縮力の伝達により変形したり皺を生じたりすることが少ない。
その結果、製品として目立つ中央部が変形したり皺を生じたりすることがないので、見栄えに優れた製品となる。製品の中央部には、キャラクターなどのデザインを施すが、この部分が変形したり皺を生じたりすることがないためにそのデザインが崩れることなく鮮明に分かるものとなる。
また、製品の周方向の締め付け力は、主に胴周り部の脇部に作用し、肌との摩擦力により吸収コアの中央に向かうに従って減衰されるので、吸収コアのほぼ全体領域においては周方向の締め付け力が小さいものとなり、お腹を過度に圧迫することがない。
さらに、製品を見るとき、目立つのは中央部（周方向の中央部）であるところ、この形態においては中央部を除く左右脇部においてのみ伸縮部材が存在するので、製品の見栄えに優れる。
【００１１】
＜請求項２記載の発明＞
前記腰下部に配置された前記伸縮部材の配置間隔が、前記ウエスト部に配置された前記伸縮部材の配置間隔に対して同じかあるいは短い請求項１記載の使い捨て紙おむつ。
【００１２】
（作用効果）
腰下部に配置された伸縮部材の配置間隔が、ウエスト部に配置された伸縮部材の配置間隔に対して同じかあるいは短いことから、より一層製品の外面が「モコモコ」せず、見栄えに優れた使い捨て紙おむつとなる。
【００１３】
＜請求項３記載の発明＞
前記レッグ開口部を形成する長さ範囲である股部に股部伸縮部材が配置され、前記股部伸縮部材は、前記股部の中央部を除く左右脇部に周方向に配置され、
前記股部伸縮部材の伸張応力及び断面外径は、前記ウエスト部の前記伸縮部材の伸張応力及び断面外径よりも小さく、かつ太さが６２０ｄｔｅｘ以下である、請求項１または２記載の使い捨て紙おむつ。
【００１４】
（作用効果）
股部の中央部を除く左右脇部に股部伸縮部材を設けることで、製品の外面を構成するシートの股部の左右部がぺらぺらせず、着用者の肌に向かってフィットするようになり見栄えに優れるものとなる。
【００１５】
＜請求項４記載の発明＞
製品の外面を構成し、前記伸縮部材が配置された外形シートと、前記外形シートの内面側に固定され、吸収コアを有する吸収主体と、を備えており、前記股部の少なくとも前後方向中間部において、前記吸収主体の幅より前記外形シートの幅が狭い、請求項１〜３のいずれか１項に記載の使い捨て紙おむつ。
【００１６】
（作用効果）
股部の前後方向中間部において外面シートが延在しないことから、肌部のフィットが高まり、見栄えに優れるものとなる。
【００１７】
＜請求項５記載の発明＞
少なくとも前記腰下部に配置された前記伸縮部材は、周方向の糸と縦方向の糸とからなる網目状伸縮部材である、請求項１〜４のいずれか１項に記載の使い捨て紙おむつ。
【００１８】
（作用効果）
伸縮部材が網目状伸縮部材であっても同様の作用効果を奏する。
【００１９】
＜請求項６記載の発明＞
前記伸縮部材は紙おむつの外面を構成するシートに対して取り付けられており、前記外面を構成するシートと前記伸縮部材の色とが同色である、請求項１〜５のいずれか１項に記載の使い捨て紙おむつ。
【００２０】
（作用効果）
外面を構成するシートと前記伸縮部材の色とが同色であることから、伸縮部材が判別し難くすっきり感に優れる。
【００２１】
＜請求項７記載の発明＞
前記腰下部に配置された伸縮部材の伸長率は１５０〜３５０％であり、伸張応力は、１５０％伸張時において４〜１７ｇの範囲である請求項１〜６のいずれか１項に記載の使い捨ておむつ。
【００２２】
（作用効果）
局部的な過度の肌への圧迫がないことによりゴム跡の生成がなく、製品の内面と肌との摩擦が全体に及び、ぴったり接触することによりフィット性がより一層良好であり、製品のずれ落ちを防止できる。
【００２３】
＜請求項８記載の発明＞
ウエスト開口縁からレッグ開口始端に至る長さ範囲の胴周り部に配置された伸縮部材は、前記ウエスト開口縁から縦方向に３０ｍｍ以内の位置から、レッグ開口始端からウエスト開口縁側の１０ｍｍ以内の位置に至る長さ範囲にわたって取り付けられている請求項１〜７のいずれか１項に記載の使い捨て紙おむつ。
【００２４】
（作用効果）
上記数値範囲を限定したものであると、請求項１〜７における作用効果がより一層明瞭になる。
【００２５】
【００２６】
【００２７】
【００２８】
【００２９】
【発明の実施の形態】
以下本発明の実施の形態を図面を参照しながらさらに詳説する。
以下、本発明の実施の形態について、まずパンツ型使い捨ておむつの例を採って詳説し、その後、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例も説明する。
【００３０】
（『本発明の用語の説明』、及びパンツ型使い捨ておむつの第１の実施の形態）
主に図３によって、本発明の部位や方向に関する用語説明をしつつ、図４及び図５によって、第１の実施形態に係るパンツ型使い捨ておむつについて説明する。
この第１の実施形態に係るパンツ型使い捨ておむつは、図３及び図４に示すように、可撓性の外形シート１と、この外形シート１内面に固定され、股下４を中心として縦方向（前後方向）に延在する吸収主体１０とを主体として構成されている。
【００３１】
外形シート１は２枚または３枚以上の通気・撥水性の不織布を積層固定してなり、この外形シート１と吸収主体１０とを重ね合わせた後の製造工程の最終段階で、前身頃Ｆと後身頃Ｂとの両側縁部の長手方向全体を超音波シールや熱溶融などの手段により接合する（この接合部を符号３０としてある）ことにより、図６に示されているようにウエスト開口部ＷＯおよび左右一対のレッグ開口部ＬＯを形成してある。
【００３２】
図３の符号において、「縦方向」とは、腹側と背側を結ぶ方向を意味し、「周方向」とは前記縦方向と直交する方向を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０とが交差する位置を意味し、レッグ開口縁の始まり個所の意味である。「胴周り部」Ｔとは、ウエスト開口縁からレッグ開口始端に至る長さ範囲の全体領域を意味する。胴周り部Ｔは、概念的に「ウエスト部」Ｗと「腰下部」Ｕとに分けることができる。これらの縦方向の長さは、製品のサイズによって異なるが、ウエスト部Ｗは１５〜４０ｍｍ、腰下部Ｕは６５〜１２０ｍｍである。「股部」Ｌとは、レッグ開口部ＬＯを形成する長さ範囲の全体領域を意味する。また、「中央部」とは、製品の中央線を含む側部を除く中間領域を意味する。「脇部」とは、胴周り部Ｔにおける両側部を意味する。
【００３３】
吸収主体１０は、図５にも示すように、不織布などからなり着用者の肌に直接触れる長方形の透液性トップシート１１と、綿状パルプを主体とし、ある程度の剛性を有する（半剛性の）長方形の吸収コア１３とその上下面全体を包む額巻きされた長方形のクレープ紙１４とからなる吸収体ＡＢと、この吸収体ＡＢの裏面において両側縁近傍まで達する、ポリエチレンプラスチックフィルムなどからなる長方形の不透液性バックシート１２とを有し、前記透液性トップシート１１は、吸収体ＡＢの両側縁を周り込んで裏面に達し、不透液性バックシート１２に重ねられており、これらの各要素はホットメルト接着剤により接着（図中＊で示しているのが接着部分である）一体化されたものである。必要に応じて、図示のように透液性トップシート１１とクレープ紙１４との間に透液性セカンドシート１１Ｓを介在させることができる。この吸収主体１０は、ほぼ裏面全体が前記外形シート１に対して、ホットメルト接着剤により接着して一体化してある。
【００３４】
吸収主体１０の両側部には、使用面側に突出する脚周り起立カフスＣ，Ｃがそれぞれ形成され、この起立カフスＣは、実質的に幅方向に連続した起立シート４０と、伸縮部材、たとえば糸ゴムからなる一本のまたは図示のように複数本の伸縮部材５０，５０…とにより構成されている。
【００３５】
さらに詳細には、起立カフスＣは、起立シート４０を２重に形成され、各伸縮部材５０，５０…をホットメルト接着剤などにより固着した状態で包んで形成されたものである。各起立カフスＣ，Ｃを形成する起立シート４０は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。
【００３６】
二重の起立シート４０の内面は、吸収体ＡＢ及び不透液性バックシート１２の裏面側に回り込んでホットメルト接着剤などにより固着されている。その結果、二重の起立シート４０のこの固着始端は、起立カフスＣの起立端を形成している。
【００３７】
この起立端より先端側は、製品本体に固定されていない自由部分である。
【００３８】
他方、長手方向前後端部において、ホットメルト接着剤などにより、前記自由部分は、その先端が物品の中央側に向かう状態で物品に、具体的には透液性トップシート１１外面に固定されている。
【００３９】
また、伸縮部材５０，５０…は、少なくとも１本が自由部分にあることを基本形態とするが、特にその伸縮部材５０は自由部分の先端部にあることが好ましく、さらに、図５に示されているように、根元側にも伸縮部材５０を有することが好ましい。先端部には、図示のように複数本有するのがさらに望ましい。
【００４０】
図４は、紙おむつを長手方向に展開した状態を示しているが、装着時には、紙おむつが舟形に体に装着されるので、そして各伸縮部材５０，５０…の収縮力が作用するので、製品の前後端はそのままで、脚周りでは、各伸縮部材５０，５０…の収縮力により起立カフスＣが起立する。そしてこのとき、吸収主体１０の側部を変形させ持ち上げ、また若干吸収コア１３も変形させつつ持ち上げ、深いポケット空間を形成する。
【００４１】
左右の起立カフスＣ，Ｃで囲まれる空間は、尿または軟便の閉じ込め空間を形成する。この空間内に排尿されると、その尿は透液性トップシート１１を通って吸収体ＡＢ内に吸収されるとともに、軟便の固形分については、起立カフスＣがバリヤーとなり、その乗り越えが防止される。
【００４２】
他方、前身頃Ｆ及び後身頃Ｂの長手方向端部において、ウエスト部Ｗにおける外形シート１の不織布間には、ウエスト周りのフィット性を高めるために、ウエスト開口部ＷＯの端縁に平行に間隔を置いて細い糸ゴムからなるウエスト伸縮部材２０Ｆ，２０Ｂが伸縮するように伸長下に配置固定されている。ウエスト部Ｗにおけるウエスト伸縮部材２０Ｆ，２０Ｂの間隔および本数は適宜定めることができるが、例えば間隔としては４〜８ｍｍ程度、本数としては４〜１０本程度が好ましい。
【００４３】
そしてかかる構成のもと、本発明に従って前身頃Ｆ及び後身頃Ｂのウエスト部Ｗから股部Ｌまでの間の領域たる腰下部Ｕにおける、前身頃Ｆの下腹部及び後身頃Ｂの臀部に、周方向に沿って腰下部伸縮部材２１Ｆ，２１Ｂが設けられている。そして、腰下部伸縮部材２１Ｆ，２１Ｂはそれぞれ、前身頃Ｆ及び後身頃Ｂにおいて、一方側の接合部３０から他方側の接合部３０までの部分のうち吸収コア１３のほぼ全体を除く製品の左右脇部に設けられている。
【００４４】
図示例では、これら腰下部伸縮部材２１Ｆ，２１Ｂとして、細い糸ゴム、具体的に太さが６２０ｄｔｅｘ以下とされた伸縮部材が用いられ、前身頃Ｆ及び後身頃Ｂの両者において、縦方向の間隔が７．０ｍｍ以下とされ、それぞれ平行に１５〜４０本、外形シート１の不織布間に配置固定されている。この腰下部伸縮部材２１Ｆ，２１Ｂおける相互間隔は、ウエスト伸縮部材２０Ｆ，２０Ｂの間隔に対して同じか、あるいはそれよりも短いものが望ましい。
【００４５】
また、これら腰下部伸縮部材２１Ｆ，２１Ｂとして使用する糸ゴムは、前述のウエスト伸縮部材２０Ｆ，２０Ｂとして使用する細い糸ゴムよりも伸張応力および断面外径が小さいか、あるいは実質的に同一のものとすることができる。ここにおいて使用する細い糸ゴムとしては、具体的には、伸張応力が、１５０％伸長時において４〜１７ｇの範囲、特に５〜１０ｇの範囲のものが好適に使用される。
【００４６】
他方、第１の実施の形態においては、股部Ｌにおける中央部を除く左右部においても股部伸縮部材２３を設けてある。この股部伸縮部材２３についても、腰下部伸縮部材２１Ｆ，２１Ｂと同様に、太さが６２０ｄｔｅｘ以下の伸縮部材を縦方向の間隔を７．０ｍｍ以下として不織布間に配置固定できる。
【００４７】
（パンツ型使い捨ておむつの第２の参考実施の形態）
図７及び図８に示す第２の参考実施の形態は、第１の実施の形態と異なる点として、股部Ｌに股部伸縮部材２３を設けない、しかも腰下部伸縮部材２１Ｆ，２１Ｂは吸収主体１０を横断して周方向に連続して不織布間に配置固定したものである。
【００４８】
（パンツ型使い捨ておむつの第３の実施の形態）
図９は、第１の実施の形態と異なる点として、股部Ｌに股部伸縮部材２３を設けない、しかもウエスト伸縮部材２０Ｆ，２０Ｂを、中央にはこれを配置しないで脇部のみとした構造の、図３と同様の展開状態のものを示すものである。図１０に使用状態を示す。
【００４９】
（パンツ型使い捨ておむつの第４の実施の形態）
図１１は、外形シート１を、幅方向中央シート１Ａと、両側部のサイドシート１Ｂ、１Ｂにより構成し、各サイドシート１Ｂ、１Ｂとしてたとえば不織布間に網目状たとえば格子状に糸ゴムを固定したものを用いたものである。そして幅方向中央シート１Ａに両側部のサイドシート１Ｂ、１Ｂを接合し、各サイドシート１Ｂ、１Ｂを周方向及び前後方向に伸縮するようにしたものである。この場合における、周方向の糸ゴムはウエスト部Ｗ及び腰下部Ｕの伸縮部材を形成する。
【００５０】
（パンツ型使い捨ておむつの各形態についての補足説明及び他の実施の形態）
上記の第１〜第４の実施の形態を概念的に纏めると、それぞれ図１２の（Ａ）〜（Ｄ）に示すとおりとなる。これらを比較して推測できるように、ウエスト伸縮部材２０Ｆ，２０Ｂ、ならびに腰下部伸縮部材２１Ｆ，２１Ｂは、吸収主体１０を横断して周方向に連続して配置固定する形態と、吸収コア１３が位置する中央部には存在せず、製品の左右脇部のおいてのみ配置固定する形態とを選択的に採ることができる。また、股部伸縮部材２３の配設の有無についても選択可能である。さらに、前身頃Ｆと後身頃Ｂとの間で伸縮部材の配設形態を相違させることもできる。したがって、図１２の（Ｅ）に他の実施の形態として示すように、ウエスト伸縮部材２０Ｆ，２０Ｂ、ならびに腰下部伸縮部材２１Ｆ，２１Ｂを、吸収コア１３が位置する中央部には存在せず、製品の左右脇部においてのみ配置固定し、さらに股部伸縮部材２３を設けない形態や、図１２の（Ｆ）に別の実施の形態として示すように、ウエスト伸縮部材２０Ｆ，２０Ｂ、ならびに腰下部伸縮部材２１Ｆ，２１Ｂを、吸収コア１３が位置する中央部には存在せず、製品の左右脇部のおいてのみ配置固定し、さらに股部伸縮部材２３を設ける形態なども採用できる。このように伸縮部材の配設形態は適宜であることを付言する。腰下部伸縮部材２１Ｆ，２１Ｂ、または股部伸縮部材２３を、吸収コア１３が位置する中央部には存在せず、製品の左右脇部のおいてのみ配置固定する場合において、腰下部伸縮部材２１Ｆ，２１Ｂ端部、または股部伸縮部材２３の端部が吸収コア１３の側縁部に重なる場合と、吸収コア１３の側縁に達しないで離間する場合との両者を含む。
【００５１】
また、上記例はほぼ砂時計形状の外形シート１に対して長方形の吸収主体１０を接合してあるが、外形シート１と同形状の透液性トップシート１１を設け、これらの間に吸収体ＡＢを設ける形態でもよい。さらに、外形シート１と吸収主体１０とが境界なく一体化してある形態でもよい。
【００５２】
製品の外面を構成するシートは、上記例では２枚または３枚以上の通気・撥水性の不織布を積層固定したものであるが、１枚の不織布でもよく、この場合にはその不織布の使用面側に伸縮部材を接合することができる。さらに積層する不織布間の中間にプラスチックシートを介在させたり、または裏面側不織布の使用面側に張り合わせたりすることができる。
【００５３】
腰下部伸縮部材２１Ｆまたは腰下部伸縮部材２１Ｂは、格子網状に配設することでもよい。この１例が図１１に示す形態である。この種の形態でも弾性伸縮部材は本発明で規定する縦方向に間隔を有する。
【００５４】
さらに、本発明は、少なくとも前身頃Ｆのウエスト伸縮部材２０Ｆ及び腰下部伸縮部材２１Ｆが、ウエスト開口縁からレッグ開口始端に至る長さ範囲の胴周り部Ｔの６０％以上，望ましくは７０％以上、より好ましくは９０％以上の長さ範囲にわたって存在する限りにおいて、規定する太さ及び間隔を有すれば足りるものであり、したがって、最大４０％領域においては、腰下部伸縮部材２１Ｆが本発明で規定する太さまたは間隔を有しなくとも、全体としてのすっきり感を損なうことはない。
【００５５】
具体例を挙げてより詳説すると、図１３に拡大して示すように、７ｍｍ以下の間隔配置のウエスト伸縮部材２０Ｆ，２０Ｆ…の長さａと、腰下部伸縮部材２１Ｆ，２１Ｆ…の配置のうち、７ｍｍを超える長さ範囲部分を除き、７ｍｍ以下の長さ範囲ｂ及びｃとの合計長さの、胴周り部Ｔの長さに対する割合が（すなわち（ａ＋ｂ＋ｃ）／Ｔ）が６０％以上であることを規定するものである。
【００５６】
他方で、製品の中央部（吸収コアのほぼ全体領域）に、図１４に示すように、不透液性バックシート１２の裏面側にキャラクターなどのデザインをたとえば印刷により施すことができる。このデザイン部分は、ある程度の剛性を有する吸収コア１３を有し、かつ本発明にしたがって外形シート１が変形したり皺を生じたりすることがないために、そのデザインが崩れることなく鮮明に分かるものとなる。また、図１４に示すように、製品の正面と裏面とに対応して、当該キャラクターの正面と背面とを施すと、誰でも一目で前後を判別でき、おむつ換えが楽しくなり、着用者も喜ぶものとなる。デザインを施したデザインデザインシートを外形シート間に介在させることでもよい。また、外形シート１にデザイン印刷することもできる。
【００５７】
ところで、外形シート１には、股間部または股下部をフィットさせるために、種々の形態で伸縮部材を設けることができる。
【００５８】
図１５は、前脇部の端部から股部Ｌのレッグ開口縁にほぼ平行に後脇部の端部に亘って、それぞれ股部伸縮部材２４，２４を外形シート１の不織布間に固定したものである。この形態では、股部伸縮部材２４がレッグ開口部ＬＯを収縮させ、体液の漏れを防止する。なお、股部伸縮部材２４，２４を明示するために、吸収主体１０を仮想線で示してある。
【００５９】
図１６は、前身頃Ｆ及び後身頃Ｂにおいて、左方の脇部の端部から股下部を横断するように右方の脇部の端部に亘って、それぞれ股間・股下部伸縮部材２５Ｆ，２５Ｂを外形シート１の不織布間に固定したものである。また、この例においては、前身頃Ｆ側と後身頃Ｂ側の股間・股下部伸縮部材２５Ｆ，２５Ｂが一部交差する形態としてある。
【００６０】
図１７は、前身頃Ｆ及び後身頃Ｂにおいて、左方の脇部の端部から股下部を横断するように右方の脇部の端部に亘って、それぞれ股間・股下部伸縮部材２６Ｆ，２６Ｂを外形シート１の不織布間に固定したものである。この例においては、股間・股下部伸縮部材２６Ｆ，２６Ｂは交差することなく、股下部において平行する形態としてある。
【００６１】
一方、図１８に示すように、股下部分において、吸収主体１０、特に吸収コア１３の幅より外形シート１の幅が狭いようにすることもできる。この図１８の形態や前述の形態において、吸収コア１３の側縁より外方へ食み出る外形シート１はヒラヒラしがちであり、製品全体にすっきり感を得ようとするときの問題となる。そこで、第１の形態の股部伸縮部材２３と同様に、股部Ｌの両側に整形伸縮部材２７を外形シート１の不織布間に設け、食み出る外形シート１を中央側に寄せることで、ヒラヒラ感を解消することができる。この場合において、整形伸縮部材２７群の外端部はホットメルト接着剤によるシール線２８により固定することにより、整形伸縮部材２７群の外端部の中央側への引き込みを防止することができる。
【００６２】
図１９は同様にヒラヒラ感を解消するために、前身頃Ｆ及び後身頃Ｂにおいて、左方の脇部の端部から股部を横断するように右方の脇部の端部に亘って、それぞれ整形伸縮部材２９，２９を外形シート１の不織布間に固定したものである。この形態では、整形伸縮部材２９に中間の周方向部分が、吸収コア１３の側縁より外方に食み出る外形シート１を中央側に寄せることで、ヒラヒラ感を解消することができるとともに、整形伸縮部材２９の端部が脇部の端部に亘るので、股部を胴周り部Ｔ側に持ち上げるように作用し、腹部及び臀部のたるみを解消し、よりすっきり感に富むものとなる。
【００６３】
（テープ式紙おむつの第１の実施の形態）
前述のように、本発明はパンツ型使い捨ておむつのほか、テープ式紙おむつをも対象とする。この第１の実施の形態を図２０及び図２１に示す。この例においては、両側部に起立シート４１，４１を有し、これらの自由起立部の先端部に伸縮部材５１，５１が設けられ、起立カフスＣ，Ｃを構成している。起立シート４１は外形シートと同様の裏面シート１と接合されている。４２は背側の左右両側部を腹側の左右両側部に持ち込み、接合するためのテープファスナーである。この例において、前身頃Ｆ及び後身頃Ｂの長手方向端部において、ウエスト部Ｗにおける外形シート（裏面シート）１の不織布間には、ウエスト周りのフィット性を高めるために、ウエスト開口部ＷＯの端縁に平行に間隔を置いて細い糸ゴムからなるウエスト伸縮部材２０Ｆ，２０Ｂが伸縮するように伸長下に配置固定されている。さらに前身頃Ｆの下腹部及び後身頃Ｂの臀部に、中央部を除く脇部に周方向に沿って腰下部伸縮部材２１Ｆ，２１Ｂが設けられている。
【００６４】
（テープ式紙おむつの第２の実施の形態）
第２の実施の形態を図２２及び図２３に示す。この形態は起立カフスを有しない例である。そして、吸収コア１３の外方のフラップ部に縦方向に沿って伸縮部材５２，５２が、透液性トップシート１１とバックシート１２との間に固定されている。この例においても、ウエスト伸縮部材２０Ｆ，２０Ｂ、及び腰下部伸縮部材２１Ｆ，２１Ｂが設けられている。
【００６５】
（伸縮部材について）
上記の伸縮部材としては、天然ゴムや合成ゴムなどの材質のほか、ウレタンなどの弾性伸縮性のものを用いることができる。また、細帯状の弾性伸縮性帯や、面積的に大きいシート状のものも使用できる。これらの例として、ウレタンなどの帯、フィルムまたはシートなどがある。フィルムとしては無孔フィルムや孔開きフィルム、さらにシートとしては網目状のシートなどを適宜選択できる。無孔フィルム６０の配設例を図２４に示した。また、網目状のフィルム６１の配設例を図２５に示した。これらの形態においても、伸縮部材が製品の外形シート１に対して取り付けられた領域が、胴周り部の６０％以上の長さ範囲にわたって存在することが重要である。
【００６６】
（実施例）
腰下部の伸縮部材の太さ及び配置間隔を種々変更した上で、得られた製品における外面に生成される皺の状態を観察したところ、表１に示すようになった。
【００６７】
【表１】
0004198313.tif 000002
【００６８】
この結果から、伸縮部材の太さと縦方向の間隔の両者が皺の生成に関与し、本発明で規定する範囲のもののみが皺が生成するとしても木目細かく、見栄えに優れた外観を呈するものが得られることが判る。
【００６９】
【発明の効果】
以上のとおり、本発明によれば、皺が目立たつことがなく、平坦面状の外面を呈し、製品の見栄えとしてすっきりしたものとなり、しかも、腰下部を過度に圧迫することなくフィット性に優れるなどの利点がもたらされる。
【図面の簡単な説明】
【図１】  従来製品の皺の発生状況概要図である。
【図２】  本発明製品の皺の発生状況概要図である。
【図３】  本発明の用語説明のための、第１の実施の形態の展開状態使用面側からの平面図である。
【図４】  第１の実施の形態の展開状態使用面側からの平面図である。
【図５】  その５−５線矢視図である。
【図６】  第１の実施の形態製品の斜視図である。
【図７】  第２の参考実施の形態の展開状態使用面側からの平面図である。
【図８】  第２の参考実施の形態製品の斜視図である。
【図９】  第３の実施の形態の展開状態使用面側からの平面図である。
【図１０】  第３の実施の形態製品の斜視図である。
【図１１】  第４の実施の形態の展開状態使用面側からの平面図である。
【図１２】  伸縮部材の配設形態の説明図である。
【図１３】  伸縮部材の配設割合に関する説明図である。
【図１４】  製品の表裏のデザイン例を示す図である。
【図１５】  別の実施の形態の展開状態使用面側からの平面図である。
【図１６】  他の実施の形態の展開状態使用面側からの平面図である。
【図１７】  さらに別の実施の形態の展開状態使用面側からの平面図である。
【図１８】  整形伸縮部材を設けた形態の展開状態使用面側からの平面図である。
【図１９】  整形伸縮部材を設けた別の形態の展開状態使用面側からの平面図である。
【図２０】  テープ式紙おむつの第１の実施の形態の展開状態使用面側からの平面図である。
【図２１】  ５−５線相当位置矢視図である。
【図２２】  テープ式紙おむつの第２の実施の形態の展開状態使用面側からの平面図である。
【図２３】  ５−５線相当位置矢視図である。
【図２４】  別の伸縮部材を設けた実施の形態の展開状態使用面側からの平面図である。
【図２５】  他の伸縮部材を設けた実施の形態の展開状態使用面側からの平面図である。
【符号の説明】
１…外形シート、４…股下、１０…吸収主体、１２…バックシート、１３…吸収コア、ＡＢ…吸収体、Ｃ…バリヤーカフス、２０Ｆ，２０Ｂ…ウエスト伸縮部材、２１Ｆ，２１Ｂ…腰下部伸縮部材、２３…股部伸縮部材、Ｔ…胴周り部、Ｕ…腰下部、Ｌ…股部、Ｗ…ウエスト部、ＷＯ…ウエスト開口部、ＬＯ…レッグ開口部。
【図１】
0004198313.tif 000003
【図２】
0004198313.tif 000004
【図３】
0004198313.tif 000005
【図４】
0004198313.tif 000006
【図５】
0004198313.tif 000007
【図６】
0004198313.tif 000008
【図７】
0004198313.tif 000009
【図８】
0004198313.tif 000010
【図９】
0004198313.tif 000011
【図１０】
0004198313.tif 000012
【図１１】
0004198313.tif 000013
【図１２】
0004198313.tif 000014
【図１３】
0004198313.tif 000015
【図１４】
0004198313.tif 000016
【図１５】
0004198313.tif 000017
【図１６】
0004198313.tif 000018
【図１７】
0004198313.tif 000019
【図１８】
0004198313.tif 000020
【図１９】
0004198313.tif 000021
【図２０】
0004198313.tif 000022
【図２１】
0004198313.tif 000023
【図２２】
0004198313.tif 000024
【図２３】
0004198313.tif 000025
【図２４】
0004198313.tif 000026
【図２５】
0004198313.tif 000027